(57)【特許請求の範囲】
【請求項１】
第１の被駆動部と第２の被駆動部とを有し、カメラ本体内の非照射位置から照射可能位置にポップアップするストロボ筐体と、
上記ストロボ筐体を回動自在に軸支する支持軸を有していて、カメラ本体に対して回動自在に支持された支持部材と、
上記ストロボ筐体に設けられた第１の被駆動部を駆動する第１の駆動部と、上記ストロボ筐体に設けられた第２の被駆動部を駆動する第２の駆動部とを有する駆動部材と、
を具備し、
上記駆動部材に設けられた上記第１の駆動部によって上記ストロボ筐体に設けられた上記第１の被駆動部が駆動された際には、上記ストロボ筐体と上記支持部材とを非照射位置から第１の方向に回動させて上記支持部材をカメラ本体によって規定される規制位置へ移動させると共に上記ストロボ筐体をカメラ本体に対して突出する第１の突出位置へ移動させ、その後、上記駆動部材に設けられた上記第２の駆動部によって上記ストロボ筐体に設けられた上記第２の被駆動部が駆動された際には、上記ストロボ筐体を上記規制位置で規定された上記支持部材に設けられた上記支持軸を回動中心として、第１の突出位置から第１の方向とは反対の方向に回動させて照射可能位置である第２の突出位置に移動させるようにしたことを特徴とするカメラ。
【請求項２】
カメラ本体内の非照射位置から照射可能位置にポップアップするストロボ筐体を有するカメラにおいて、
上記ストロボ筐体と一体的に形成されていて、上記ストロボ筐体を非照射位置から照射可能位置に移動させる第1及び第２の被駆動部と、
第１の軸部材と一体に設けられていて鏡筒の繰り出し動作に連動して回動する回動部材と、
上記ストロボ筐体を回動自在に軸支する第２の軸部材を有し、カメラ本体に対して回動自在に支持された支持部材と、
上記ストロボ筐体を上記支持部材に向けて付勢する第１の付勢部材と、
上記第１の軸部材に回動自在に軸支されていて、上記ストロボ筐体に設けられた第１の被駆動部を駆動する第１の駆動部と、上記ストロボ筐体に設けられた第２の被駆動部を駆動する第２の駆動部とを有し、カメラ本体に対して回動自在に支持される駆動部材と、
上記第１の軸部材に設けられていて、上記駆動部材に設けられた上記第１の駆動部を上記ストロボ筐体に設けられた上記第１の被駆動部に向けて付勢し、上記駆動部材に設けられた上記第２の駆動部を上記ストロボ筐体に設けられた上記第２の被駆動部に向けて付勢する第２の付勢部材と、
を具備し、
上記鏡筒の繰り出し動作に連動して回動する上記回動部材により上記駆動部材が回動して、上記第１の駆動部が上記第１の被駆動部を駆動した際には、上記ストロボ筐体と上記支持部材とを非照射位置から第１の方向に回動させて上記支持部材をカメラ本体によって規定される規制位置へ移動させると共に上記ストロボ筐体をカメラ本体に対して突出する第１の突出位置へ移動させ、その後、上記駆動部材に設けられた上記第２の駆動部によって上記ストロボ筐体に設けられた上記第２の被駆動部が駆動された際には、上記ストロボ筐体を上記規制位置で規定された上記支持部材に設けられた上記支持軸を回動中心として、第１の突出位置から第１の方向とは反対の方向に回動させて照射可能位置である第２の突出位置に移動させるようにしたことを特徴とするカメラ。
【請求項３】
上記第１の付勢部材の付勢力は、上記第２の付勢部材の付勢力よりも小さくなるように設定されていることを特徴とする請求項２に記載のカメラ。
【請求項４】
上記ストロボ筐体が第２の突出位置に位置している状態で、当該ストロボ筐体に外力が加わった場合、上記第１の軸部材と一体に設けられている回動部材は不動状態となり、上記第１の軸部材に回動自在に軸支されている駆動部材のみが上記第２の付勢部材に対抗して回動することを特徴とする請求項２に記載のカメラ。
【請求項５】
上記ストロボ筐体に設けられた上記第１及び第２の被駆動部と、上記駆動部材に設けられた上記第１及び第２の駆動部とのうち少なくとも一方は、カム部で形成されていることを特徴とする請求項１又は請求項２に記載のカメラ。
【発明の詳細な説明】
【０００１】
【発明の属する技術分野】
この発明は、カメラ、詳しくはストロボ装置を非照射位置から照射可能位置にポップアップさせるカメラに関するものである。
【０００２】
【従来の技術】
従来より、３５ｍｍ幅のロールフィルム等を使用する小型カメラ等においては、写真撮影を行なう際の補助光を照射するストロボ装置をカメラ本体に内蔵するように構成したものが種々提案され、また実用化されている。
【０００３】
このようなカメラにおいては、例えばカメラの携帯時や保管時等、カメラを非撮影状態にした時に撮影レンズの前面を遮蔽し保護する、いわゆるレンズバリアの開閉動作や電源スイッチのオン／オフ操作等に連動させて、ストロボ発光部等からなるストロボ装置をカメラ本体から突出する突出位置とカメラ本体内に収納される収納位置とに移動させるようにした、いわゆるポップアップ機構を有するものが、例えば特開平６−２４２４９７号公報、特開平８−２８６２４２号公報等によって種々提案されている。
【０００４】
上記特開平６−２４２４９７号公報には、撮影開始及び撮影停止の動作に連動させてストロボ装置をカメラ本体に対して突出位置と収納位置とに移動させるようにしたストロボ装置のポップアップ機構が開示されている。このポップアップ機構は、カメラ本体に一端部を回動自在に支持されて配設されるストロボ装置を突出方向に付勢する付勢ばねと、この付勢ばねの付勢力に抗してストロボ装置を収納位置に付勢する付勢ばね等によって構成されている。
【０００５】
また、上記特開平８−２８６２４２号公報に開示されているフラッシュ発光部の移動装置は、レンズバリアの開動作に連動して、沈胴状態にあるレンズ鏡筒が撮影可能な初期位置に移動して、このレンズ鏡筒の外周面上に設けられた突起部がカメラ本体側の回転カムに作用してこれを回動させ、同カムに連動して回動するばね部材によってストロボ装置を突出位置に移動させるようにしたものである。これによれば、ストロボ装置を突出させる際の回転角（回転移動量）を抑えて、より大きなポップアップ量を確保することができ、さらにカメラの小型化に寄与することができるというものである。
【０００６】
上記特開平６−２４２４９７号公報、特開平８−２８６２４２号公報等では、付勢ばね等のばね部材を用いてストロボ装置のポップアップ機構を実現しているが、これとは別に、例えば沈胴位置から撮影位置に進退する撮影レンズ鏡筒の進退動作に連動して回動する回転レバーの回転力を利用してストロボ装置をポップアップさせるようにしたものもある。
【０００７】
【発明が解決しようとする課題】
ところが、上記特開平６−２４２４９７号公報、特開平８−２８６２４２号公報等に開示されいる従来の手段を用いたカメラにおいて、ストロボ装置の発光量、即ちガイドナンバーを大きくするためには、例えばストロボ装置の発光窓等の照射開口部が大きな面積を確保するように設計することが考えられる。しかし、この照射開口部を単に大面積化しただけでは、カメラ本体からのストロボ装置の突出量が充分とは言えず、照射開口部をカメラ本体から必要なだけ突出させることができない。これによってストロボ装置の照射開口部から発せられる照射光のうちの一部がカメラ本体によってケラレてしまうことが考えられ、この場合には照射光の無駄が生じてしまうと共に、良好な配光特性も満足に得ることができないという問題がある。
【０００８】
そこで、このような場合にはカメラ本体からのストロボ装置の突出量をより大きく確保し、同ストロボ装置のカメラ本体からの移動量が大きくなるように設計すれば、ストロボ装置からの照射光がカメラ本体によってケラレてしまったり配光特性を悪化させてしまう等の不具合を解消することができる。
【０００９】
しかし、カメラ本体からのストロボ装置の突出量を大きく設定した場合を考えると、例えば上記特開平６−２４２４９７号公報、特開平８−２８６２４２号公報等のばね部材によってポップアップさせる手段では、動作が不安定となってしまうという問題がある。
【００１０】
また、上述の回転レバーの回転力を利用してストロボ装置をポップアップさせる手段では、ストロボ装置を移動させる回転レバーの回転範囲（角度）やその駆動力量を大きく設定する必要がある。したがって、このポップアップ機構を内蔵させるカメラ自体の大型化を招いてしまうという問題がある。
【００１１】
本発明は、上述した点に鑑みてなされたものであって、その目的とするところは、ストロボ装置を非照射位置から照射可能位置にポップアップさせるストロボ装置ポップアップ機構において、ストロボ装置を移動させる駆動部材自体の移動量を抑えて、より小さい駆動力で駆動するにも関らず、カメラ本体から大きく突出した位置にストロボ装置をポップアップさせることのできるカメラを提供するにある。
【００１２】
【課題を解決するための手段】
上記目的を達成するために、第１の発明によるカメラは、第１の被駆動部と第２の被駆動部とを有し、カメラ本体内の非照射位置から照射可能位置にポップアップするストロボ筐体と、上記ストロボ筐体を回動自在に軸支する支持軸を有していて、カメラ本体に対して回動自在に支持された支持部材と、上記ストロボ筐体に設けられた第１の被駆動部を駆動する第１の駆動部と、上記ストロボ筐体に設けられた第２の被駆動部を駆動する第２の駆動部とを有する駆動部材とを具備し、上記駆動部材に設けられた上記第１の駆動部によって上記ストロボ筐体に設けられた上記第１の被駆動部が駆動された際には、上記ストロボ筐体と上記支持部材とを非照射位置から第１の方向に回動させて上記支持部材をカメラ本体によって規定される規制位置へ移動させると共に上記ストロボ筐体をカメラ本体に対して突出する第１の突出位置へ移動させ、その後、上記駆動部材に設けられた上記第２の駆動部によって上記ストロボ筐体に設けられた上記第２の被駆動部が駆動された際には、上記ストロボ筐体を上記規制位置で規定された上記支持部材に設けられた上記支持軸を回動中心として、第１の突出位置から第１の方向とは反対の方向に回動させて照射可能位置である第２の突出位置に移動させるようにしたことを特徴とする。
【００１３】
また、第２の発明によるカメラは、カメラ本体内の非照射位置から照射可能位置にポップアップするストロボ筐体を有するカメラにおいて、上記ストロボ筐体と一体的に形成されていて、上記ストロボ筐体を非照射位置から照射可能位置に移動させる第1及び第２の被駆動部と、第１の軸部材と一体に設けられていて鏡筒の繰り出し動作に連動して回動する回動部材と、上記ストロボ筐体を回動自在に軸支する第２の軸部材を有し、カメラ本体に対して回動自在に支持された支持部材と、上記ストロボ筐体を上記支持部材に向けて付勢する第１の付勢部材と、上記第１の軸部材に回動自在に軸支されていて、上記ストロボ筐体に設けられた第１の被駆動部を駆動する第１の駆動部と、上記ストロボ筐体に設けられた第２の被駆動部を駆動する第２の駆動部とを有し、カメラ本体に対して回動自在に支持される駆動部材と、上記第１の軸部材に設けられていて、上記駆動部材に設けられた上記第１の駆動部を上記ストロボ筐体に設けられた上記第１の被駆動部に向けて付勢し、上記駆動部材に設けられた上記第２の駆動部を上記ストロボ筐体に設けられた上記第２の被駆動部に向けて付勢する第２の付勢部材とを具備し、上記鏡筒の繰り出し動作に連動して回動する上記回動部材により上記駆動部材が回動して、上記第１の駆動部が上記第１の被駆動部を駆動した際には、上記ストロボ筐体と上記支持部材とを非照射位置から第１の方向に回動させて上記支持部材をカメラ本体によって規定される規制位置へ移動させると共に上記ストロボ筐体をカメラ本体に対して突出する第１の突出位置へ移動させ、その後、上記駆動部材に設けられた上記第２の駆動部によって上記ストロボ筐体に設けられた上記第２の被駆動部が駆動された際には、上記ストロボ筐体を上記規制位置で規定された上記支持部材に設けられた上記支持軸を回動中心として、第１の突出位置から第１の方向とは反対の方向に回動させて照射可能位置である第２の突出位置に移動させるようにしたことを特徴とするカメラ。
【００１５】
【発明の実施の形態】
以下、図示の実施の形態によって本発明を説明する。
図１、図２、図３は、本発明の一実施形態のストロボ装置のポップアップ機構を有するカメラを示す正面図であって、図１はストロボ装置が収納位置にある状態を示し、図２はストロボ装置が第１の動作に伴って第１の突出位置にある状態を、図３はストロボ装置が第２の動作に伴って第２の突出位置にある状態をそれぞれ示している。
【００１６】
本実施形態のカメラは、図１〜図３に示すようにカメラ本体の一部を形成する前カバー１の前面側中央にレンズバリア２が摺動自在に配設されている。このレンズバリア２は、カメラの携帯時や保管時等のカメラの不使用時（非撮影時）には、図１に示す矢印Ｘ１方向に沿って摺動させることによりカメラの前面側に配設される撮影光学系５やファインダ窓６等の構成部材を覆い、これを保護するようになっている。この非撮影時の状態は図１に示すようになる。
【００１７】
一方、このカメラによって写真撮影等を行なう場合、即ちカメラの使用時等には、上記レンズバリア２を図２、図３に示す矢印Ｘ２方向に沿って摺動させることによって、この摺動動作に連動するカメラの電源スイッチ（図示せず）をオン（ＯＮ）状態にすると共に、カメラの前面側に配設される撮影光学系５やファインダ窓６等を開放して写真撮影動作を可能な状態にすることができるようになっている。この写真撮影動作が可能な状態は図３に示すようになる。
【００１８】
上記撮影光学系５は、撮影レンズを保持する鏡筒等によって構成されており、カメラの不使用時（図１参照）には、上記レンズバリア２の摺動動作に連動する電源スイッチ（図示せず）のオフ信号を受けて撮影禁止動作が行なわれて沈胴しカメラ内に収納される一方、カメラの使用時（図３参照）には、上記電源スイッチのオン信号を受けて撮影許可動作が行なわれて撮影可能位置に繰り出されるようになっている。
【００１９】
そしてこのカメラの上面側の一端部には、ストロボ装置の主要構成部材であるストロボ筐体３が突没自在に配設されている。このストロボ筐体３は、カメラ本体の正面から見て右肩部に、カメラ本体に基部を回動自在に支持されて配設されており、照射可能時にはカメラ本体に対して大きく反時計方向に回動した右肩上りの斜め方向に突出したポップアップ態位をとるようになっている。このストロボ筐体３は、上記レンズバリア２の摺動動作に連動する電源スイッチのオン／オフ動作に従って行われる撮影光学系５の繰り出し／沈胴動作に伴って、カメラ本体に対して突出することにより閃光（照明光）の照射が可能な閃光照射可能位置である突出位置（図３参照）と、カメラ本体内に収納されて閃光の照射を行わない非照射位置である収納位置（図１参照）とに移動するようになっている。そして、本実施形態におけるストロボ筐体３が収納位置と突出位置の間を移動する際の動作は、二段階の動作を経て行われるようになっている。つまり、本実施形態のストロボ筐体３は、カメラの不使用時には、図１に示すようにカメラ本体内に収納される収納位置にあり、カメラの使用時には、図１の収納位置から第１の動作（図２に示す矢印Ｘ３方向への移動）が開始され第１の突出位置（図２参照）を経た後に、第２の動作（図３に示す矢印Ｘ４方向への移動）が行われることによってカメラ本体から大きく突出する照射可能位置（第２の突出位置。図３参照）となる。
【００２０】
なお、上記ストロボ筐体３は、例えばキセノン（Ｘｅ）放電管、反射笠、発光開口窓部材等によって形成されており、ストロボ装置自体は従来から用いられている一般的な構成からなるものである。
また、カメラ本体の上面側には、写真撮影動作を指示するレリーズボタン４等の各種の操作部材等が配設されている。
【００２１】
次に、本実施形態のストロボ装置におけるポップアップ機構の詳細な構成を、以下に説明する。図４は、本実施形態のカメラに配設されるストロボ装置の一部を構成するストロボ筐体及びそのポップアップ機構の主要構成部材のみを取り出して示す要部拡大分解斜視図である。
【００２２】
図４に示すように、ストロボ筐体３の底面側には、同ストロボ筐体３を回動自在に軸支するレバーである支持部材７が配設されている。この支持部材７は、その一端部７ａがカメラ本体側の固定部（図示せず）、例えば前カバー１の内壁面等に回動自在に軸支されていて、他端部である支持部７ｂには支持軸８が設けられている。この支持軸８はストロボ筐体３の下面側のストロボ支持部３ｄに軸支されており、これによって同ストロボ筐体３を回動自在に軸支している。したがってストロボ筐体３は、支持部材７を介してカメラ本体に対し移動自在に支持されている。
【００２３】
上記支持軸８には、上記支持部材７をストロボ筐体３の底面側に向けて常に付勢する付勢ばね１０が巻回されており、これにより支持部材７は、通常状態においては常にストロボ筐体３の底面に当接した状態となっている。
【００２４】
また、ストロボ筐体３には、その底面側から下方に向けて突出するように一体的に形成された腕部９が設けられている。この腕部９の先端部には、第１の被駆動部１７及び第２の被駆動部１８が形成されており、これら第１、第２の被駆動部１７，１８は後述する第１の駆動部（第１カム部１５）及び第２の駆動部（第２カム部１６）を有する回動部材であり駆動手段を構成する駆動レバー１１によって駆動されることにより、ストロボ筐体３をカメラ本体から突出させる突出位置、即ち閃光照射可能位置と、ストロボ筐体３をカメラ本体内に収納する収納位置、即ち非照射位置とに移動させ得るようになっている。
【００２５】
一方、カメラ本体側には、第１の駆動部である第１カム部１５と第２の駆動部である第２カム部１６とを有する駆動レバー１１がストロボ筐体３の上記腕部９に対向する位置に配設されている。この駆動レバー１１は、例えばカメラ本体の一部を形成する主ボディ部の固定部（図示せず）又は上記前カバー１の内壁面の固定部（図示せず）等に対して所定の範囲内で回動可能に支持軸１２によって軸支されている。また、この支持軸１２には上記撮影光学系５の繰り出し／沈胴動作に連動して回動するカム溝１３ａを有し駆動手段を構成する回動軸１３が支持軸１２に沿って一体に設けられている。そして、上記カム溝１３ａによって回動軸１３が一方向（図４に示す矢印Ｘ５方向）に回動すると、これに連動して上記駆動レバー１１も同方向に回動するようになっている。
【００２６】
他方、上記撮影光学系５の鏡筒の外周面上には、後述する図５〜図７に示すように突起部５ａが設けられており、撮影光学系５の鏡筒の繰出動作又は沈胴動作が行なわれる際の鏡筒の光軸方向への進退動作に伴って上記突起部５ａが回動軸１３のカム溝１３ａに当接し、これに沿って上記突起部５ａが移動することによって上記回動軸１３が回動し、さらにこれに連動して駆動レバー１１も同方向に回動するようになっている。
【００２７】
なお、上記駆動レバー１１は上記回動軸１３とは別体に形成されているものであるが、同駆動レバー１１は支持軸１２に巻回された付勢手段であり駆動手段の一部を構成する付勢ばね１４の付勢力によって一方向（図４に示す矢印Ｘ５方向）、つまり上記撮影光学系５の繰出動作に伴って回動する上記回動軸１３の回動方向に向けて付勢され、その付勢力は駆動レバー１１を介して回動軸１３が受けるように構成されている。これにより上記駆動レバー１１と回動軸１３とは、一方向（図４に示す矢印Ｘ５方向）へは一体的に回動するようになっている。
【００２８】
また、上記撮影光学系５の鏡筒が繰り出されて撮影準備状態とされたときには、上記回動軸１３は、そのカム溝１３ａに突起部５ａが係合していることによって、他方向（Ｘ５方向とは反対方向）への回動が規制されている。したがって、この状態においては、上記回動軸１３と上記駆動レバー１１とは、上述したように一方向（Ｘ５方向）へは一体的に回動する一方、他方向（Ｘ５方向とは反対の方向）に対しては、上記回動軸１３は回動規制がなされて不動状態とされており、上記駆動レバー１１は付勢ばね１４の付勢力に抗して上記回動軸１３に対して所定の範囲内で回動し得るように構成されている。
【００２９】
このように他方向に対しては上記駆動レバー１１のみが回動し得るようになっているのは、突出位置にあるストロボ筐体３に対して外力が加わったような場合において、この外力を上記付勢ばね１４の付勢力によって吸収することができるようにしているためである。
【００３０】
上述したように上記駆動レバー１１には、上記腕部９の先端部に設けられた第１の被駆動部１７の当接面に当接し、これを駆動する第１の駆動部である第１カム部１５と、同腕部９の先端部に設けられた第２の被駆動部１８の当接傾斜面に当接し、これを駆動する第２の駆動部である第２カム部１６が一体的に並べて形成されている。
【００３１】
このように構成された上記一実施形態のストロボ装置のポップアップ機構の作用を図５〜図７によって、以下に説明する。
図５はストロボ装置が収納位置にある状態（図１の状態に対応する）を、図６はストロボ装置が第１の突出位置にある状態（図２の状態に対応する）を、図７はストロボ装置が第２の突出位置にある状態（図３の状態に対応する）をそれぞれ示している。
【００３２】
本実施形態のストロボ装置のポップアップ機構は、上述したようにカメラ本体内の収納位置から第１の動作による第１の突出位置を経て、その後第２の動作による第２の突出位置に至る一連の動作によって、ストロボ装置をカメラ本体からポップアップさせるようにしている。
【００３３】
即ち、本実施形態のカメラはその不使用時においては、図１に示すようにレンズバリア２が閉じられた状態となっており、このときストロボ装置のストロボ筐体３は図１、図５に示すように、カメラ本体内の収納位置に収納された状態にある。この状態においては、ストロボ筐体３は支持軸８に巻回された付勢ばね１０の付勢力によって支持部材７側に向けて付勢されている。そして、ストロボ筐体３の支持軸８に支持される支持部近傍の一端部３ｂの下面側と、ストロボ筐体３の自由端部３ａの下面側がそれぞれカメラ本体の固定部２０，２１に当接しており、これによって、上記ストロボ筐体３は収納位置に位置決めされている。
【００３４】
このようにストロボ筐体３が収納位置にある場合において、カメラの使用者が写真撮影等を行うためにカメラを撮影準備状態にするときは、まず上記レンズバリア２を図２に示す矢印Ｘ２方向に摺動させる。すると、これに連動して電源スイッチ（図示せず）がオン状態となり、続いて撮影光学系５の鏡筒がカメラの前方に向けて繰り出される。この繰出動作によって上記鏡筒の突起部５ａが光軸に沿う方向、即ちカメラの前方に向けて移動する。このとき上記突起部５ａは、上記回動軸１３のカム溝に沿って移動することとなるので、これによって上記回動軸１３は、支持軸１２を中心として時計方向（図５に示す矢印Ｘ６方向）に回動する。そして、この回動軸１３の回動に連動して上記駆動レバー１１も同方向に回動することによって第１の動作が開始される。
【００３５】
即ち、上記駆動レバー１１の第１カム部１５は、上記ストロボ筐体３の腕部９の第１の被駆動部１７の当接面に当接しており、上記回動軸１３及び駆動レバー１１がＸ６方向に回動することによって、上記第１カム部１５は第１の被駆動部１７を駆動する。これによって上記ストロボ筐体３は図２、図６に示す矢印Ｘ３方向に移動を開始する。このときストロボ筐体３は、これと一体に構成された支持部材７と共に回動する。つまり、同支持部材７は、その一端部７ａを回動中心として時計方向に回動すると同時に、ストロボ筐体３は、自由端部３ａの固定部２０との当接点を回動中心として時計方向に回動する。そして、上記支持部材７の支持部７ｂの外周部上面がカメラ本体（前カバー２）の上面側の内壁面の固定部２１に当接することによって、ストロボ筐体３が第１の突出位置に位置決めされ、一連の第１の動作が完了する。
【００３６】
さらに上記駆動レバー１１が同方向（時計方向、Ｘ６方向）に回動されると第２の動作に移行する。この第２の動作においては、駆動レバー１１の第２カム部１６が上記第２の被駆動部１８に当接し、これを駆動することによって上記ストロボ筐体３を、その支持軸８を回動中心とする図７に示す矢印Ｘ７方向（反時計方向）に回動させる。つまり同ストロボ筐体３は、図３、図７に示すＸ４方向へ移動する。この状態においてストロボ筐体３は、上記支持部７ｂと固定部２２とが当接した状態のまま、この当接点近傍の支持軸８を回動中心としてＸ７方向に回動する。すると、同ストロボ筐体３の一端部３ｂの後端面がカメラ本体（前カバー２）の上面側の内壁面の固定部２３に当接する。これと同時に、ストロボ筐体３の略中央部の下面側のストッパ部３ｃがカメラ本体（前カバー２）の上面側の内壁面の固定部２４に当接する。これによってストロボ筐体３は第２の突出位置に位置決めされて、この第２の動作が完了する。
【００３７】
この状態におけるストロボ筐体３は、付勢ばね１０（図４参照）の付勢力によって図７に示す矢印Ｘ８方向、即ち支持部材７に向けて付勢されている。一方、上記駆動レバー１１は付勢ばね１４（図４参照）の付勢力によって図７の矢印Ｘ９方向（時計方向）に付勢されている。ここで、上記付勢ばね１４の付勢力の方が上記付勢ばね１０の付勢力よりも強い付勢力となるように設定されていることによって、上記ストロボ筐体３は第２の突出位置に保持されている。
【００３８】
また、この状態においてストロボ筐体３に対して図７に示す矢印Ｘ１０方向への外力が加わったような場合には、上記ストロボ筐体３は付勢ばね１０の付勢力に抗して収納位置の方向に移動し、さらに上記駆動レバー１１は付勢ばね１４の付勢力に抗してＸ９とは反対方向（反時計方向）に回動して、その外力を吸収する。なお、この状態では、上記回動軸１３は上述したように不動状態となっているが、駆動レバー１１のみが反時計方向に回動し得るようになっているので、上記外力が回動軸１３やこれに連結される鏡筒等の構成部材に影響を与えることはない。
【００３９】
次に、上記ストロボ筐体３をカメラ本体内に収納する場合には、まずレンズバリア２を図１のＸ１方向に摺動することによって電源スイッチをオフ状態とする。すると、この電源スイッチのオフ動作に連動して撮影光学系５の鏡筒が沈胴動作を開始して、同鏡筒をカメラ内に収納する。このときの沈胴動作時に上記鏡筒の突起部５ａは光軸に沿う方向、即ちカメラ内に向けて移動することとなる。同突起部５ａは、上記回動軸１３のカム溝に沿って移動するので、これにより上記回動軸１３は、支持軸１２を中心として反時計方向（図７の矢印Ｘ６方向の反対方向）に回動する。そして、同回動軸１３の回動に連動して上記駆動レバー１１も同方向に回動を開始する。
【００４０】
さらに上記回動軸１３及び駆動レバー１１が反時計方向に回動すると、同ストロボ筐体３は、付勢ばね１０の付勢力によって、図７のＸ４方向の反対方向、即ち収納方向に移動する。このとき上記駆動レバー１１の第２カム部１６は、上記ストロボ筐体３の腕部９の第２の被駆動部１８の当接面に沿って移動する。そして、同ストロボ筐体３の自由端部３ａがカメラ本体側の固定部２０に当接する図６の状態を経て、上記駆動レバー１１の第１カム部１５が上記第１の被駆動部１７の当接面に当接し、第１カム部１５はこれに沿って移動する。
【００４１】
そして、上記鏡筒の沈胴動作が完了し、撮影光学系５が沈胴動作を停止したとき、ストロボ筐体３もカメラ本体内に完全に収納されて、所定の収納位置（図１の状態）に位置決めされる。また、このときレンズバリア２は、図１に示すような全閉状態となる。このようにしてストロボ装置の収納動作が完了する。
【００４２】
以上説明したように上記一実施形態によれば、レンズバリア２の開動作に連動させて電源をオン状態とし撮影光学系５を繰り出す際の一連の動作に連動させて、ストロボ装置の主要構成部材であるストロボ筐体３をカメラ本体内に収納された非照射位置からカメラ本体に対して突出する照射可能位置にポップアップさせるポップアップ機構において、ストロボ筐体３の第１、第２の被駆動部１７，１８を駆動する第１、第２カム部１５，１６を形成することによって、ストロボ筐体３の突出動作を第１の突出動作と第２の突出動作による段階的な突出動作を行わしめるように構成したので、より小さな駆動力によってストロボ装置を移動させることができると共に、各段階におけるストロボ筐体３の移動量を少なくすることができるにも関らず、ストロボ装置自体の移動量はより大きなものとすることができる。したがって、各段階における移動量を少なくすることで、これを適用するカメラの小型化に寄与することができる。
【００４３】
また、ストロボ装置自体の移動量を多く確保して、カメラ本体側の撮影光学系５とストロボ装置の照射位置とを離して配置することができるので、写真撮影時において発生する、いわゆる赤目現象等を防止し、より良い写真撮影結果を得ることが容易にできる。
【００４４】
なお、上述の一実施形態においては駆動手段を構成する駆動レバー１１の第１、第２の駆動部をそれぞれ第１、第２カム部１５，１６としているが、これに限らず、例えば上記ストロボ筐体３の腕部９の先端部の第１、第２の被駆動部１７，１８側をカム部として形成し、これに当接する当接面をそれぞれ駆動手段（駆動レバー）側に形成するようにしても良い。
【００４５】
［付記］
また、以上述べた発明の実施形態によれば、以下のような構成を有する発明を得ることができる。即ち、
（１）  支持部材によって回動自在に支持され、第１の被駆動部と第２の被駆動部とを有し、カメラ本体に収納される収納位置とカメラ本体から突出する突出位置とに移動可能なストロボ筐体と、
このストロボ筐体の第１の被駆動部を駆動する第１の駆動部と、この第１の駆動部によって上記第１の被駆動部の駆動を開始した後に上記ストロボ筐体の第２の被駆動部を駆動する第２の駆動部とを有する駆動手段と、
を具備し、
上記支持部材と上記ストロボ筐体とが第１の方向に回動し、その状態から上記ストロボ筐体が第２の方向に回動することでポップアップするストロボ装置のポップアップ機構。
【００４６】
（２）  上記ストロボ筐体に設けられた上記第１及び第２の被駆動部と上記駆動手段に設けられた第１及び第２の駆動部とのうち少なくとも一方は、カム部で形成されている付記１に記載のポップアップ機構。
【００４７】
（３）  上記駆動手段は、鏡筒の光軸方向への移動に連動して回動する回動部材である付記１に記載のポップアップ機構。
【００４８】
（４）  上記駆動手段は、鏡筒の光軸方向への移動に連動して回動する回動軸と、この回動軸に対して一方向にのみ付勢されている回動部材によって構成されている付記３に記載のポップアップ機構。
【００４９】
（５）  上記駆動手段は、鏡筒の光軸方向への移動に連動して回動する回動軸と、この回動軸に対して所定の範囲内で回動可能な回動部材と、上記回動部材を一方向のみに付勢する付勢部材とによって構成されていて、ポップアップ後に上記ストロボ筐体が外力を受けた場合であっても、上記回動部材を他方向に回動して、上記外力を吸収するようにした付記４に記載のポップアップ機構。
【００５０】
（６）  鏡筒の光軸方向への移動に連動して回動する回動軸と、
第１の被駆動部と第２の被駆動部とを有し、カメラ本体に収納される収納位置とカメラ本体から突出する突出位置とに移動可能なストロボ筐体と、
上記回動軸と同軸上に所定の範囲内で回動可能に設けられていて、上記ストロボ筐体の第１の被駆動部を駆動する第１のカムと、この第１のカムによって上記第１の被駆動部の駆動を開始した後に上記ストロボ筐体の第２の被駆動部を駆動する第２のカムとを有する回動部材と、
上記回動部材を一方向のみに付勢する付勢手段と、
一端部が回動中心となるように回動自在に支持され、他端部が上記ストロボ筐体を回動自在に支持しているレバーと、
を具備し、
上記第１のカムによって上記レバーと上記ストロボ筐体とが第１の方向に回動し、その状態から上記第２のカムによって上記ストロボ筐体が第２の方向に回動することでポップアップするストロボ装置のポップアップ機構。
【００５１】
【発明の効果】
以上述べたように本発明によれば、ストロボ装置を非照射位置から照射可能位置にポップアップさせるカメラにおいて、ストロボ筐体の突出動作を第１の突出動作と第２の突出動作により段階的な突出動作を行なわしめるように構成したので、より小さな駆動力によってストロボ装置を移動させることができると共に、各段階におけるストロボ筐体の移動量を少なくすることができるにも関らず、ストロボ装置自体の移動量はより大きなものとすることができる。したがって、各段階における移動量を少なくすることで、これをカメラに適用する場合、小型化を実現したカメラを提供することができる。
また、ストロボ筐体に外力が加わっても、当該外力を第１及び第２の付勢部材で吸収しつつ、回動軸やこれに連結される鏡筒等の構成部材に影響を与えない構造のカメラを提供することができる。
【図面の簡単な説明】
【図１】本発明の一実施形態のストロボ装置のポップアップ機構を有するカメラを示し、ストロボ装置が収納位置にある状態の正面図。
【図２】図１のカメラにおけるストロボ装置が第１の突出位置にある状態を示す正面図。
【図３】図１のカメラにおけるストロボ装置が第２の突出位置にある状態を示す正面図。
【図４】本発明の一実施形態のストロボ装置及びそのポップアップ機構の主要構成部材のみを取り出して示す要部拡大分解斜視図。
【図５】本発明の一実施形態のストロボ装置のポップアップ機構の作用を説明する図であって、ストロボ装置が収納位置にある状態を示す図。
【図６】本発明の一実施形態のストロボ装置のポップアップ機構の作用を説明する図であって、ストロボ装置が第１の突出位置にある状態を示す図。
【図７】本発明の一実施形態のストロボ装置のポップアップ機構の作用を説明する図であって、ストロボ装置が第２の突出位置にある状態を示す図。
【符号の説明】
１……前カバー（カメラ本体）
２……レンズバリア
３……ストロボ筐体
３ａ……自由端部
３ｂ……一端部
３ｃ……ストッパ部
３ｄ……ストロボ支持部
４……レリーズボタン
５……撮影光学系
５ａ……突起部
６……ファインダ窓
７……支持部材（レバー）
７ａ……一端部（支持部材）
７ｂ……支持部（支持部材）
８……支持軸
９……腕部（ストロボ筐体）
１０……付勢ばね
１１……駆動レバー（駆動手段、回動部材）
１２……支持軸
１３……回動軸（駆動手段）
１３ａ……カム溝
１４……付勢ばね（駆動手段、付勢手段）
１５……第１カム部（第１の駆動部、第１のカム）
１６……第２カム部（第２の駆動部、第２のカム）
１７……第１の被駆動部
１８……第２の被駆動部
２０，２１，２２，２３，２４……固定部
【図１】
0003938621.tif 000002
【図２】
0003938621.tif 000003
【図３】
0003938621.tif 000004
【図４】
0003938621.tif 000005
【図５】
0003938621.tif 000006
【図６】
0003938621.tif 000007
【図７】
0003938621.tif 000008